(57)【要約】【課題】  帰宅する居住者が携帯端末の操作でエレベータを呼び出しでき、その情報が自宅の居室親機に通知される集合住宅インターホンシステムを提供する。【解決手段】  インターホン制御機４は、携帯端末８と通信する外部通信部４８を有し、またエレベータ６を制御するエレベータ制御機７に接続されている。携帯端末８はインターホン制御機４と通信してエレベータ６をエントランスフロアに呼び出すコールボタンを有している。インターホン制御機４は、ジオフェンス記憶部４３を有して携帯端末８がジオフェンス内にあればコールボタン操作を許可し、コールボタンが操作されるとエレベータ６の制御を開始させると共に居室親機２に帰宅通知信号を送信する。【選択図】  図２
2020167559.tif 000002
【特許請求の範囲】
【請求項１】
集合住宅のエントランスに設置されて居住者を呼び出すための集合玄関機と、個々の住戸に設置されて来訪者からの呼び出しに応答するための居室親機と、前記集合玄関機と前記居室親機との間の通信を制御するインターホン制御機とを有する集合住宅インターホンシステムであって、
前記インターホン制御機は、居住者が携行する携帯端末と住戸番号との関連付けを記憶する携帯端末情報記憶部と、通信ネットワークを介して前記携帯端末と通信を実施する外部通信部とを有すると共に、集合住宅内のエレベータを制御するエレベータ制御機に接続されて成り、
前記携帯端末は、前記インターホン制御機と通信して、前記インターホン制御機を介してエレベータをエントランスフロアに呼び出すコールボタンを有し、
更に、前記インターホン制御機或いは前記通信ネットワーク上のクラウドサーバに、集合住宅の内部及び周囲のうち、少なくとも周囲に前記携帯端末の前記コールボタンの操作を有効とするために設定されたエリアを記憶するエリア記憶部、及び前記携帯端末と通信して位置を把握し、前記携帯端末が前記エリア内になければ前記コールボタンの操作を禁止する許可制御部を設け、
前記インターホン制御機は、許可状態にある前記携帯端末の前記コールボタンが操作されると、前記エレベータ制御機にコール信号を送信してエレベータの制御を開始させると共に、前記コールボタンを操作した前記携帯端末が関連付けられている前記居室親機にも前記コールボタンが操作された旨を通知し、
当該通知を受けた前記居室親機では、所定の報知動作を実施することを特徴とする集合住宅インターホンシステム。
【請求項２】
前記エリアは、集合住宅の建屋内のエリアを除外した建屋周囲に設定され、建屋内では前記コールボタンの操作が許可されないことを特徴とする請求項１記載の集合住宅インターホンシステム。
【請求項３】
前記コール信号を受信したエレベータ制御機は、エレベータの現在位置及び移動方向の情報を含むエレベータ情報を返信し、
前記携帯端末は、前記エレベータ制御機から返信された情報を表示する表示部を有することを特徴とする請求項１又は２記載の集合住宅インターホンシステム。
【請求項４】
前記エレベータ制御機は、エントランスフロアにエレベータが到着するまでの時間を演算する時間算出部を有し、
前記エレベータ情報には、前記時間算出部が算出した時間情報が含まれることを特徴とする請求項３記載の集合住宅インターホンシステム。
【発明の詳細な説明】
【技術分野】
【０００１】
本発明は集合住宅インターホンシステムに関し、特に帰宅者が集合住宅に到着する前に、エレベータをエントランスフロアに呼び出しできる集合住宅インターホンシステムに関する。
【背景技術】
【０００２】
従来より、ＧＰＳ位置情報を利用することで、予め設定された集合住宅の特定エリアに入ったら、携帯端末の操作によりエレベータを呼び出しでき、エレベータがエントランスフロアへの移動を開始する集合住宅インターホンシステムがある。
例えば、特許文献１に記載の集合住宅インターホンシステムでは、ジオフェンスを設定して、ジオフェンス内であれば携帯端末の操作により、エントランスドアの電気錠の解錠を行ったり、エレベータをエントランスフロアへ呼びすことを可能とした。
【先行技術文献】
【特許文献】
【０００３】
【特許文献１】特開２０１６−１４３９７９号公報
【発明の概要】
【発明が解決しようとする課題】
【０００４】
上記特許文献１の技術は、携帯端末の操作により外出していた居住者が集合住宅のエントランスに入る前にエレベータを呼び出すことができるため、帰宅者にとってエレベータの待ち時間を減らすことができ便利であった。
しかしながら、在宅の家族にとっては外出していた家族が間もなく帰宅する情報が入ってこないため、帰宅を連絡したい場合は別途連絡する必要があった。また、ジオフェンス内であれば携帯端末からエレベータの呼び出しが可能なため、帰宅したときでなくても集合住宅内での操作でエレベータの呼び出しができてしまい、誤操作によりエレベータがエントランスフロアへ動作する場合があった。
【０００５】
そこで、本発明はこのような問題点に鑑み、帰宅する居住者が携帯端末の操作でエレベータを呼び出しできると共に、その操作が成されたことを自宅の居室親機に通知され、更にエレベータ呼び出しの誤操作を防止できる集合住宅インターホンシステムを提供することを目的としている。
【課題を解決するための手段】
【０００６】
上記課題を解決する為に、請求項１の発明は、集合住宅のエントランスに設置されて居住者を呼び出すための集合玄関機と、個々の住戸に設置されて来訪者からの呼び出しに応答するための居室親機と、集合玄関機と居室親機との間の通信を制御するインターホン制御機とを有する集合住宅インターホンシステムであって、インターホン制御機は、居住者が携行する携帯端末と住戸番号との関連付けを記憶する携帯端末情報記憶部と、通信ネットワークを介して携帯端末と通信を実施する外部通信部とを有すると共に、集合住宅内のエレベータを制御するエレベータ制御機に接続されて成り、携帯端末は、インターホン制御機と通信して、インターホン制御機を介してエレベータをエントランスフロアに呼び出すコールボタンを有し、更に、インターホン制御機或いは通信ネットワーク上のクラウドサーバに、集合住宅の内部及び周囲のうち、少なくとも周囲に携帯端末のコールボタン操作を有効とするために設定されたエリアを記憶するエリア記憶部、及び携帯端末と通信して位置を把握し、携帯端末がエリア内になければコールボタンの操作を禁止する許可制御部を設け、インターホン制御機は、許可状態にある携帯端末のコールボタンが操作されると、エレベータ制御機にコール信号を送信してエレベータの制御を開始させると共に、コールボタンを操作した携帯端末が関連付けられている居室親機にもコールボタンが操作された旨を通知し、当該通知を受けた前記居室親機では、所定の報知動作を実施することを特徴とする。
この構成によれば、集合住宅に近づいたらエレベータを呼び出すことができるし、エレベータの呼出操作で在宅の家族に間もなく帰宅することを通知でき、帰宅者にとってはエレベータの待ち時間を短くできるし、別途家族に帰宅を通知する必要が無く便利である。また、在宅者にとっても間もなく家族が帰宅することが分かり都合が良い。
【０００７】
請求項２の発明は、請求項１に記載の構成において、エリアは、集合住宅の建屋内のエリアを除外した建屋周囲に設定され、建屋内ではコールボタンの操作が許可されないことを特徴とする。
この構成によれば、集合住宅を出なければ携帯端末のエレベータ呼出機能は有効とならないため、集合住宅内での操作は無効となる。よって、誤操作を防止できるし、居室親機への誤報も無くすことができる。
【０００８】
請求項３の発明は、請求項１又は２に記載の構成において、コール信号を受信したエレベータ制御機は、エレベータの現在位置及び移動方向の情報を含むエレベータ情報を返信し、携帯端末は、エレベータ制御機から返信された情報を表示する表示部を有することを特徴とする。
この構成によれば、エレベータを呼び出した居住者は、エレベータの現在の状態を携帯端末の表示から把握できるため、エレベータがエントランスフロアに到着するおおよその時間を予想でき、利便性が良い。
【０００９】
請求項４の発明は、請求項３に記載の構成において、エレベータ制御機は、エントランスフロアにエレベータが到着するまでの時間を演算する時間算出部を有し、エレベータ情報には、時間算出部が算出した時間情報が含まれることを特徴とする。
この構成によれば、エレベータがエントランスフロアに到着するまでの時間が携帯端末に表示されるため、利用者は安心できる。
【発明の効果】
【００１０】
本発明によれば、集合住宅に近づいたらエレベータを呼び出すことができるし、エレベータの呼出操作で在宅の家族に間もなく帰宅することを通知でき、帰宅者にとってはエレベータの待ち時間を短くできるし、別途家族に帰宅を通知する必要が無く便利である。また、在宅者にとっても間もなく家族が帰宅することが分かり都合が良い。
【図面の簡単な説明】
【００１１】
【図１】本発明に係る集合住宅インターホンシステムの一例を示す構成図である。
【図２】インターホン制御機の機能ブロック図である。
【図３】エレベータ制御機の機能ブロック図である。
【図４】エレベータを呼び出した場合の携帯端末の表示を示す画面図である。
【発明を実施するための形態】
【００１２】
以下、本発明を具体化した実施の形態を、図面を参照して詳細に説明する。図１は本発明に係る集合住宅インターホンシステムの一例を示す構成図であり、１は集合住宅のエントランスに設置されて来訪者が居住者を呼び出すための集合玄関機、２は各住戸に設置されて来訪者からの呼び出しに応答するための居室親機、３は管理室に設置される居住者等と通話するための管理室親機、４は集合玄関機１、居室親機２、管理室親機３の間の通信を制御するインターホン制御機、５は住戸玄関に設置されて居住者を呼び出すための玄関子機、６はエレベータ、７はエレベータ６を制御するエレベータ制御機、８は居住者が携行する携帯端末である。
【００１３】
集合玄関機１、管理室親機３はそれぞれ伝送線Ｌ１，Ｌ２を介してインターホン制御機４に接続され、居室親機２は親機幹線Ｌ３によりインターホン制御機４に接続されている。また、玄関子機５は住戸毎に伝送線Ｌ４を介して対応する居室親機２に接続され、エレベータ制御機７とインターホン制御機４とは伝送線Ｌ５により接続されている。更に、インターホン制御機４は、通信ネットワークＮを介して登録されている携帯端末８と通信を実施する。
尚、ここではエレベータ６が２機（第１エレベータ６ａ、第２エレベータ６ｂ）設置された構成を示し、エレベータ制御機７がこの２機のエレベータ６を制御する。
【００１４】
集合玄関機１は、カメラ１１、訪問先住戸番号を入力する操作部１２、通話のためのマイク１３ａ及びスピーカ１３ｂ、呼出ボタン１４を備え、操作部１２が操作されて訪問先の住戸が選択され、呼出操作されるとカメラ１１が起動して来訪者が撮像され、呼出信号と共に撮像映像が呼出先の居室親機２に送信される。
【００１５】
居室親機２は、カメラ１１の撮像映像及び各種情報を表示する表示部２１、呼び出しを受けて応答操作する通話ボタン２２、通話するためのマイク２３ａ及びスピーカ２３ｂ等を備えている。また、エレベータコールボタン（図示せず）を有して、このボタンが操作されるとエレベータがエレベータを呼び出した住戸にのあるフロアに移動を開始する（詳述せず）。
【００１６】
図２はインターホン制御機４の機能ブロック図を示している。インターホン制御機４は、住戸番号と居室親機２との関係を記憶する居室親機情報記憶部４１、居室親機２の設置フロアを記憶するフロア情報記憶部４２、設定されたエリア（ジオフェンス）を記憶するジオフェンス記憶部４３、居住者が携行する携帯端末８と住戸番号の関係を記憶する携帯端末情報記憶部４４、機器間の通信を制御するインターホン制御機ＣＰＵ４５、各インターホン機器と通信する第１通信ＩＦ４６、エレベータ制御機７と通信する第２通信ＩＦ４７、通信ネットワークＮを介して携帯端末８と通信する外部通信部４８等を備えている。
尚、インターホン制御機ＣＰＵ４５は、通信ネットワークＮを介する携帯端末８との通信を制御し、定期的に携帯端末８に対してジオフェンスの内外何れにあるかの情報を送信する。
【００１７】
図３はエレベータ制御機７の機能ブロック図を示している。エレベータ制御機７は、エレベータ６の制御プログラムを記憶する動作管理部７１、エレベータ６がコールされたフロアに到着するまでの時間を演算する移動時間演算部７２、エレベータ６の移動を制御するエレベータ制御機ＣＰＵ７３、インターホン制御機４と通信するエレベータ制御機通信ＩＦ７４、第１エレベータ６ａを制御する第１エレベータ制御ＩＦ７５ａ、第２エレベータ６ｂを制御する第２エレベータ制御ＩＦ７５ｂ等を備えている。
【００１８】
携帯端末８は、ＧＰＳ信号受信部を有し、ＧＰＳ信号を受信して自身の位置情報を通信ネットワークＮを介してインターホン制御機４に送信する機能、所定の操作でエレベータをエントランスフロアに呼び出す信号をインターホン制御機４に送信する機能、エレベータを呼び出すコールボタンを含む各種情報を表示する表示部８ａ等を備えている。
エレベータを呼び出す機能は所定のソフトウェアをインストールして設定され、このソフトウェアは通信ネットワークＮを介して所定のサイトからダウンロードしてインストールされる。そして、この携帯端末８は、例えばスマートフォンが適用できる。
【００１９】
上記の如く構成された集合住宅インターホンシステムの動作は以下の様である。但し、集合玄関機１を操作して住戸を選択して居住者を呼び出す操作、呼出操作によりカメラ１１が起動して呼出先の居室親機２で表示され、居室親機２の応答操作により通話が可能となる動作等は従来と同様であるため説明は省略し、ここでは携帯端末８の操作を受けてエレベータ６がエントランスフロアに移動する動作を中心に説明する。
【００２０】
まず、ジオフェンス記憶部４３が記憶するジオフェンスの形状を説明する。ジオフェンスは、集合住宅の建屋内を除外し、建屋の周囲例えば３０メートル以内、或いは建屋外で集合住宅の敷地内をジオフェンスとして設定され、建屋周囲にドーナツ状に設定され、このエリアがジオフェンス内として記憶されている。
尚、このジオフェンスの設定は、所定の携帯端末８を操作してインターホン制御機４と通信させて設定することができるし、インターホン制御機４に別途パーソナルコンピュータ等を接続して設定しても良い。
【００２１】
こうして設定されたジオフェンス内に、携帯端末情報記憶部４４に登録されている居住者の携帯端末８がある場合にのみ、携帯端末８のコールボタン操作が有効となる。
具体的に、インターホン制御機ＣＰＵ４５は、定期的に携帯端末８と通信して携帯端末８の位置情報を入手し、ジオフェンス記憶部４３に登録されているジオフェンスに対して携帯端末８が内外何れにあるか監視している。そして、内外何れにあるかの情報は、携帯端末に定期的に送信され、携帯端末８がジオフェンス内にあれば、インターホン制御機４から携帯端末８に対して許可信号が送信されて携帯端末８のエレベータ呼出操作が有効となり、ジオフェンス外にあれば禁止信号が送信されて携帯端末８のエレベータ呼出操作を無効とする。尚、無効とする場合は、コールボタンを表示しないようプログラムしても良い。
【００２２】
このようなインターホン制御機４との通信により、ジオフェンス内に携帯端末８がある場合、携帯端末８の所定の操作により表示部８ａにエレベータを呼び出すコールボタンが表示（図示せず）され、このボタンをタッチするとエレベータコール信号が通信ネットワークＮを介してインターホン制御機４に送信される。
エレベータコール信号を受信したインターホン制御機４は、インターホン制御機ＣＰＵ４５の制御により、１階のエントランスフロアにエレベータを移動させる旨のコール信号が生成されてエレベータ制御機７に送信される。
【００２３】
このコール信号をインターホン制御機４から受信したエレベータ制御機７では、エレベータ制御機ＣＰＵ７３の制御により、動作管理部７１のプログラムに従い一方のエレベータ６を選択して１階（エントランスフロア）へ誘導する制御が行われる。
同時に移動時間演算部７２が、誘導するエレベータ６の現在の場所及び移動方向等の情報を基に１階まで移動するのに要する時間を算出し、算出した時間情報を含むエレベータ６の移動情報がインターホン制御機４を介して携帯端末８へ返信される。
この時間情報及びエレベータ６の移動情報を受信した携帯端末では、表示部８ａに受信したエレベータ情報が表示される。
【００２４】
図４は、こうしてエレベータ情報を受信した携帯端末８の表示を示している。図４の表示から、まず１階に来るエレベータは第１エレベータ６ａであることがＤ１の表示から認識でき、現在８階にあって上昇中であり、９階に上がってから下降して６階に停止し、その後１階に来ることがＤ４，Ｄ２の表示からわかる。更に到着までに要する時間が２分２５秒であることがＤ３の表示から認識できる。
尚、「確認」の表示部Ｄ５は操作ボタンであり、タッチすると表示が消える。また、Ｄ４の表示において、エレベータ６の進行方向が三角の矢印がハッチングされて示されているが、実際には矢印が赤色等で表示される。
【００２５】
また、携帯端末８からエレベータコール信号を受信したインターホン制御機ＣＰＵ４５は、携帯端末情報記憶部４４を参照して携帯端末８に関連付けられている居室親機２を特定し、特定した居室親機２に対して帰宅通知信号を送信してエレベータコールに基づく帰宅通知を実施する。
帰宅通知信号を受信した居室親機２では、スピーカ２３ｂから「まもなく家族が帰宅します」等のメッセージが報音され、表示部２１に同様のメッセージが表示される。
【００２６】
このように、集合住宅に近づいたら携帯端末８を使用してエレベータ６を呼び出すことができるし、エレベータ６の呼出操作で在宅の家族に間もなく帰宅することを通知できる。よって、帰宅者にとってはエレベータの待ち時間を短くできるし、別途家族に帰宅を通知する必要が無く便利である。また、在宅者にとっても間もなく家族が帰宅することが分かり都合が良い。
また、集合住宅を出なければ携帯端末８のエレベータ呼出機能は有効とならないため、集合住宅内でエレベータ呼出操作しても無効となり、誤操作及び居室親機への誤報も無くすことができる。
更に、エレベータ６を呼び出した帰宅者は、エレベータ６の現在の状態を携帯端末８の表示から把握できるし、エレベータ６がエントランスフロアに到着するまでの時間が携帯端末８に表示されるためき、利用者は安心できる。
【００２７】
尚、上記実施形態では、エレベータ６の現在の状態に加えて、エレベータ６が到着するまでの予定時間まで携帯端末に表示させているが、現在位置のみを表示して予定時間まで表示しなくてもい。現在位置の表示のみでも帰宅者はエレベータが到着するおおよその時間を予想でき、利便性が良い。
また、インターホン制御機４がジオフェンス記憶部４３を有して携帯端末８の位置を管理しているが、ジオフェンス記憶部４３及び携帯端末８の位置を管理する機能は別途通信ネットワークＮ上にクラウドサーバを設けて管理しても良い。
更に、ジオフェンスを集合住宅の周囲に設定して建屋内をジオフェンス外としているが、建屋内を排除せず例えば有効エリアをエントランスのある１階のみを含むよう設定しても良く、エントランスに入ってからでもエレベータコール操作が可能となり使い勝手が良い。
【符号の説明】
【００２８】
１・・集合玄関機、２・・居室親機、４・・インターホン制御機、６・・エレベータ、７・・エレベータ制御機、８・・携帯端末、８ａ・・表示部、２１・・表示部、２２・・操作部、２２ｂ・・エレベータコールボタン、２２ｃ・・専用コールボタン、２２ｄ・・エレベータモニタボタン、２５・・親機ＣＰＵ、４３・・ジオフェンス記憶部（エリア記憶部）、４４・・携帯端末情報記憶部、４５・・インターホン制御機ＣＰＵ（位置判定部、許可制御部）、４８・・外部通信部、７２・・移動時間演算部（時間算出部）、７３・・エレベータ制御機ＣＰＵ、Ｎ・・通信ネットワーク。
【図１】
2020167559.tif 000003
【図２】
2020167559.tif 000004
【図３】
2020167559.tif 000005
【図４】
2020167559.tif 000006